(57)【要約】　【課題】　壁面に沿って配管されるエアコン用冷媒管を簡単に内部に収容して保護し得る保護ダクトを提供することにより、該冷媒管の配管作業の施工性の向上を図ることを目的とする。　【解決手段】　屈曲自在な蛇腹部を備えた中空筒体からなる保護ダクトに長手方向に連続する切割部を形成し、その周壁を拡開させて該切割部からエアコン用冷媒管を内部に収容させることにより、極めて簡単に該冷媒管の保護を行う。　【選択図】　図１
2004044815.tif 000002
【特許請求の範囲】
【請求項１】
長手方向に屈曲自在な蛇腹部を備えた中空筒体からなり、その周壁の拡開によりエアコン用冷媒管を内部に収容して保護すべく、長手方向に連続する切割部を備えた保護ダクトと、
　前記保護ダクトの蛇腹部の凹部内に嵌入可能な線材により構成され、該ダクトの周壁の拡開を防止する拡開防止具と、
　からなることを特徴とするエアコン用冷媒管の保護ダクト装置。
【請求項２】
屈曲自在な蛇腹部を備えた中空筒体で形成されると共に長手方向に連続する切割部を備えたエアコン用冷媒管の保護ダクトの前記蛇腹部の凹部内に嵌入可能な線材により構成され、該凹部内に嵌入されて該ダクトの周壁の拡開を防止することを特徴とするエアコン用冷媒管の保護ダクトの拡開防止具。
【請求項３】
前記保護ダクトの蛇腹部に外嵌された際に該ダクトの周壁の拡開を防止し得る剛性を自身に備えたことを特徴とする請求項２に記載のエアコン用冷媒管の保護ダクトの拡開防止具。
【発明の詳細な説明】
【技術分野】
【０００１】
　本発明は、エアコンの室内機と室外機とを連結すべく配管されるエアコン用冷媒管を内部に収容して保護する屈曲自在な保護ダクト、この保護ダクトに使用する拡開防止具、及び前記保護ダクトと拡開防止具とからなる装置に関するものである。
【背景技術】
【０００２】
　従来より、この種の屈曲自在なエアコン用冷媒管の保護ダクトとして実開昭５６−１５６３１８号に示されるものがある。
　しかしながら壁面に沿って配管される冷媒管を前記従来のダクト内に収容して保護するには、該ダクト内に冷媒管を一端から他端まで貫通させるべく挿通しなければならず、その施工が極めて面倒であった。
【特許文献１】実開昭５６−１５６３１８号公報
【発明の開示】
【発明が解決しようとする課題】
【０００３】
　本発明は、極めて簡単に冷媒管を内部に収容して保護できる保護ダクト、この保護ダクトに使用する拡開防止具、及び前記保護ダクトと拡開防止具とからなる装置を提供することにより、その施工性の向上を図ることを目的とする。
【課題を解決するための手段】
【０００４】
　上記課題を解決するため請求項１の発明の要旨とするところは、長手方向に屈曲自在な蛇腹部を備えた中空筒体からなり、その周壁の拡開によりエアコン用冷媒管を内部に収容して保護すべく、長手方向に連続する切割部を備えた保護ダクトと、前記保護ダクトの蛇腹部の凹部内に嵌入可能な線材により構成され、該ダクトの周壁の拡開を防止する拡開防止具と、からなることを特徴するものである。
　また、請求項２の発明の要旨とするところは、屈曲自在な蛇腹部を備えた中空筒体で形成されると共に長手方向に連続する切割部を備えたエアコン用冷媒管の保護ダクトの前記蛇腹部の凹部内に嵌入可能な線材により構成され、該凹部内に嵌入されて該ダクトの周壁の拡開を防止することを特徴とするものである。
　この保護ダクト装置及び拡開防止具にあっては、前記保護ダクトの蛇腹部の適宜位置に拡開防止具を外装させることにより、該ダクトの周壁の拡開を防止することができ、これにより、該ダクト内に収容されたエアコン用冷媒管が前記切割部から不用意に露出するのを未然に防止し、該冷媒管の確実な保護が行える利点を有する。
　また、この拡開防止具にあっては、蛇腹部の凹部内に嵌入されることにより、保護ダクトに外装されても該ダクトの外面よりほぼ突出しない状態とされるため、拡開防止具が外装された状態であっても保護ダクトを壁面に沿って密接させるべく配管できる利点を有する。
【０００５】
　また、請求項３の発明の要旨とするところは、前記拡開防止具であって、前記保護ダクトの蛇腹部に外嵌された際に該ダクトの周壁の拡開を防止し得る剛性を自身に備えたことを特徴とするものである。
　この拡開防止具にあっては、自身に周壁の拡開を防止し得る剛性を備えてなるため、前記保護ダクトの蛇腹部の適宜位置に拡開防止具を外嵌させるだけで極めて簡単に該ダクトの周壁の拡開を防止することができる利点を有する。
【発明の効果】
【０００６】
　請求項１に記載の保護ダクト装置及び請求項２に記載の拡開防止具にあっては、前記保護ダクトの蛇腹部の適宜位置に拡開防止具を外装させることにより、該ダクトの周壁の拡開を防止することができ、これにより、該ダクト内に収容されたエアコン用冷媒管が前記切割部から不用意に露出するのを未然に防止し、該冷媒管の確実な保護を行うことができる。
　また、拡開防止具は、保護ダクトの蛇腹部の凹部内に嵌入される構成であるため、保護ダクトに外装されても該ダクトの外面よりほぼ突出しない状態に設けることができ、これにより保護ダクトを拡開防止具が外装された状態であっても壁面に沿って密接させるべく配管することができる。
【０００７】
　また請求項３に記載の拡開防止具にあっては、自身に周壁の拡開を防止し得る剛性を備えてなるため、前記保護ダクトの蛇腹部の適宜位置に拡開防止具を外嵌させるだけで極めて簡単に該ダクトの周壁の拡開を防止することができる。
【発明を実施するための最良の形態】
【０００８】
　以下、本発明に係るエアコン用冷媒管の保護ダクトを図に基づいて詳細に説明する。
　図１は前記冷媒管の保護ダクトの一実施例を示す斜視図であり、図２はその底面図であり、図３は前記冷媒管を内部に収容する方法を示す正面図である。
【０００９】
　この保護ダクト１は、全体が合成樹脂により作製され、長手方向に屈曲自在な蛇腹部１２を備えると共に、該蛇腹部１２の両端に後述する保護カバ−に接続可能な接続部１３を備えた中空筒体１１により構成されてなり、その底壁中央には長手方向に連続する切割部１４が形成されている。
　この保護ダクト１は、図３に示すように、自身の弾性により中空筒体１１の周壁を外方に変形させることにより、拡開された切割部１４からエアコン用冷媒管２を内部に収容して保護することができ、この際、前記蛇腹部１２の自在な屈曲により前記冷媒管２が湾曲状態で配管されていても、これに対応すべく該冷媒管
２を収容保護できるよう構成されている。
　尚、この保護ダクト１にあっては、切割部１４が中空筒体１１の底面に設けられており、当該底面が建物の壁面に当接されるべく設置されるため、内部への雨水や粉塵等の侵入を排除でき、また美観を損うこともない。
【００１０】
　かかる保護ダクト１は、例えば図４に示される直状の保護カバ−３と共に使用することができる。
　この保護カバ−３は、全体が合成樹脂により作製され、下方に連続してエアコン用冷媒管の収容開口３２を備えた直状の枠状体３１で形成されてなり、例えば建築壁に沿って配管された冷媒管の直状配管部分を収容開口３２から内部に収容させるべく覆って当該直状配管部分を保護するよう構成されている。そして前記冷媒管を覆った状態で、両側壁下端から外方に連続して延設された鍔部３３がビス等の固定部材により建築壁に固定されて設置されるようになっている。
【００１１】
　保護ダクト１の接続部１３は、その外形状が前記保護カバ−３の端部開口３４の内形状に対応すべく形成されてなり、該端部開口３４内に内挿されて保護カバ−３に接続されるようになっている。
　この接続部１３は、図１又は図２に示されるように切割部１４の両側周壁１５の端部に凹凸部１６が形成されてなり、該凹凸部１６が相互に当接することにより前記両側周壁１５が互い重合するのを防止し得るよう構成されている。
　すなわち保護ダクト１にあっては、前述の如く周壁の拡開により内部に冷媒管を容易に収容することができるが、前記切割部１４の形成により接続部１３の外形状が変形し易く、その外形状が維持されないため、保護カバ−３との接続に確実性を欠くおそれがある。そこで、接続部１３の前記両側周壁１５の端部を相互に当接可能に形成し、該周壁１５の重合を防止することにより、その外形状が維持されるよう構成されたものである。
　これにより、接続部１３を保護カバ−３の端部開口３４内に挿通接続しても、該接続口１３が縮閉してその接続が不用意に解除されることがなく、両者の接続状態を確実に維持できるとともに、該接続部１３内にエアコン用冷媒管２を収容するに必要な空間を確保することができる。
【００１２】
　ここで、保護ダクト１の接続部１３が接続される対象となる保護カバ−とは、前記実施例のものに限られず、冷媒管の屈曲配管部を保護すべく屈曲形成された構成のものであってもよく、また基台と蓋体との二分割体で構成されるものであってもよい。すなわち本発明に係る保護ダクトと接続可能で、エアコン用冷媒管を保護し得る構成のものであれば何等限定されない。
　尚、前述の保護カバ−１の如く、下方にエアコン用冷媒管の収容開口を備えた枠状体からなる構成のものであれば、前記冷媒管に被せるだけで内部に収容できるため、本発明の保護ダクトと共に使用すれば、既に配管されている冷媒管であっても、その保護を極めて容易に行うことができる。
　また接続部１３は、前記切割部１４の両側の周壁端部１５が相互に当接可能であれば、その構成は前記実施例の如く周壁端部１５が凹凸に形成された構成に限らない。従って、図５に示すように前記両側周壁１５の端面に当接壁１７を形成したり、また図６に示すように周壁端部１５を相互に係合し得る係合部１８に形成し、該周壁端部１５の重合防止のみならず拡開をも防止できる構成としてもよい。この場合、接続部は、保護カバ−に内挿接続される構成に限らず、外挿接続される構成であっても保護カバ−との接続を確実に行えるという利点を有する。　尚、前記実施例の凹凸部１６や前述の当接壁１７等は、両側周壁１５に各々形成されているが、当該周壁１５が相互に当接可能であれば、その一方の周壁にのみ形成される構成であってもよい。
【００１３】
　図７は、本発明の拡開防止具４の一実施例を示す斜視図である。
　この拡開防止具４は、金属製の線状体の曲げ形成により一方に開口部４２を有する略Ｕ字体４１で構成されてなり、その両端部が漸次内方に湾曲形成されて抜止部４３が形成されている。
　この拡開防止具４を構成する線状体は、前記保護ダクト１の蛇腹部１２の凹部内に嵌入可能な線径に形成されてなり、開口部４２を拡開させて保護ダクト１に外嵌されるべく弾性変形が可能で、且つ外嵌された状態で該ダクト１の周壁の拡開を防止可能な剛性を有している。尚、保護ダクト１に外嵌された拡開防止具４は、前記抜止部４３により保護ダクト１から不用意に抜け外れないよう嵌装されるようになっている。尚、図７において点線で示されるのは、保護ダクト１の蛇腹部１２の凹部における横断面の輪郭形状である。
　また拡開防止具４は、抜止部４３の先端部が内方に円弧状に屈曲形成されてなるため、開口部４２から容易に保護ダクト１に外嵌することができる。
【００１４】
　尚、前記実施例において拡開防止具４は、自身に剛性を備えた金属製の線状体で構成されたもので説明したが、本発明の拡開防止具にあってはこれに限らず、保護ダクトの蛇腹部に外装され、該ダクトの周壁の拡開を防止し得るものであればその構成は何等限定されない。
　従って、保護ダクトの周壁の拡開を防止し得る剛性を有していなくともよく、また線状体で構成されなくともよい。従って、例えば合成樹脂の帯状体等で構成され、該帯状体を保護ダクトの外周に巻回させ、その端部同士を係合させることにより該ダクトの周壁の拡開を防止するものであってもよい。
【００１５】
　また前記拡開防止具４は、蛇腹部１２の凹部内に嵌入される構成であるため、保護ダクト１に外装されても該ダクト１の外面よりほぼ突出しない状態に設けることができる。これにより拡開防止具４が外装された状態であっても、保護ダクト１を壁面に沿って配管すること或いは壁面に密着させて配管することができ、その施工において作業性及び美観性が良好である。
　また前記実施例にあっては、拡開防止具４は保護ダクト１の側方から外嵌される構成のもの（図７）で説明をしたが、これに限らず該ダクト１の上方から外嵌される構成としてもよい。
【００１６】
　次いで、前記保護ダクト１及び拡開防止具４を使用して、エアコン用冷媒管を保護する方法について図８乃至図１０に基づいて説明する。
　まず図８に示すように、エアコン用冷媒管２を建物の壁孔から屈曲状態に引出し、外壁に沿うべく配管する。
　次いで図９に示すように、保護カバ−５を前記冷媒管２の引出部２０に被せて該引出部２０を保護した後、該引出部２０と連続する直状配管部２１を保護すべく、該直状配管部２１に保護カバ−３を被せて内部に収容する。この際、保護カバ−３は、保護カバ−５に接続された状態で鍔部３１が壁面に固定部材（図示せず）で固定されて設置される。
【００１７】
　次いで、直状配管部２１と連続する屈曲配管部２２を保護すべく、保護ダクト１の周壁を拡開させて切割部１４から該屈曲配管部２２を内部に収容して覆うともに、一方の接続部１３を保護カバ−３の端部開口３３内に挿通して保護カバ−３に接続する。
　その後、屈曲配管部２２に連続する直状配管部２３を保護すべく、該配管部２３に別の保護カバ−３を被せて内部に収容するとともに、保護ダクト１の他方の接続部１３を当該保護カバ−３の端部開口３３内に挿通して接続された状態で、該保護カバ−３の鍔部３１を壁面に固定する。
【００１８】
　この際、保護ダクト１は蛇腹部１２の屈曲により当該屈曲配管部２２の湾曲に自在に対応して冷媒管２を覆うことができる。
　また保護カバ−３に接続された接続部１３は、切割部１４の両側の周壁端部１５の相互当接により外形状が維持されて、その接続を確実に行うことができる。
【００１９】
　その後、冷媒管２を内部に収容した保護ダクト１の蛇腹部１２の適宜箇所において、拡開防止具４をその凹部に外嵌させることにより、保護ダクト１の周壁が拡開するのを防止する。
【００２０】
　尚、本発明に係る保護ダクトにあっては、前述の如く保護カバ−と共に使用される構成のものに限らず、保護カバ−との接続部を有しない構成のものであってもよい。
　従って、壁面に沿って配管されたエアコン用冷媒配管を全域にわたって保護すべくフレキシブルな長尺体で構成してもよい。
【図面の簡単な説明】
【００２１】
【図１】図１は、本発明のエアコン用冷媒管の保護ダクトの一実施例を示す斜視図である。
【図２】図２は、図１の保護ダクトを示す底面図である。
【図３】図３は、図１の保護ダクトによりエアコン用冷媒管を覆う方法を示す正面図である。
【図４】図４は、図１の保護ダクトとともに使用するエアコン用冷媒管の保護カバ−を示す斜視図である。
【図５】図５は、本発明のエアコン用冷媒管の保護ダクトの他の実施例を示す正面図である。
【図６】図６は、本発明のエアコン用冷媒管の保護ダクトの更に他の実施例を示す正面図である。
【図７】図７は、本発明のエアコン用冷媒管の保護ダクトの拡開防止具の一実施例を示す正面図である。
【図８】図８は、図１の保護ダクト及び図７の拡開防止具を使用してエアコン用冷媒管を保護する方法を示す説明図である。
【図９】図９は、図１の保護ダクト及び図７の拡開防止具を使用してエアコン用冷媒管を保護する方法を示す説明図である。
【図１０】図１０は、図１の保護ダクト及び図７の拡開防止具を使用してエアコン用冷媒管を保護する方法を示す説明図である。
【符号の説明】
【００２２】
　１　保護ダクト
　２　エアコン用冷媒管
　３　保護カバ−
　４　拡開防止具
　１１　中空筒体
　１２　蛇腹部
　１３　接続部
　１４　切割部
　１５　周壁端部
　１６　凹凸部
【図１】
2004044815.tif 000003
【図２】
2004044815.tif 000004
【図３】
2004044815.tif 000005
【図４】
2004044815.tif 000006
【図５】
2004044815.tif 000007
【図６】
2004044815.tif 000008
【図７】
2004044815.tif 000009
【図８】
2004044815.tif 000010
【図９】
2004044815.tif 000011
【図１０】
2004044815.tif 000012